(57)【要約】【課題】透明のスイッチボタンの外周縁を残してその内側に、円形の透光部を設けた不透明の表示部をインサート成形により一体化した場合に、発光体の光がその外周縁から漏れ出る不都合を解消することである。【解決手段】ジャー本体の内部にスイッチ５９、発光体６１等を搭載した操作基板５６を取付け、スイッチボタン８にその外周縁を残して不透明の表示部２６をインサート成形し、発光体３８に対向したスイッチボタン８の表示部２６に透光部３０ａを設けてなる炊飯器の操作部において、上記スイッチボタン８の裏面にその全範囲を覆う大きさの遮光シート４１を介在し、その遮光シート４１に上記スイッチボタン８の透光部３０ａに対向した透光穴４７ａを設けた構成とした。【選択図】　図３
2004033405.tif 000002
【特許請求の範囲】
【請求項１】
炊飯器本体の内部にスイッチ、発光体その他の電子部品を搭載した操作基板を取付け、そのスイッチに又はスイッチと発光体の両方に対向した複数のスイッチボタンにそれぞれ透明の外周縁を残して不透明の表示部を設けるとともに、発光体に対向したスイッチボタンの上記表示部に透光部を設け、上記各スイッチボタンを上記炊飯器本体のそれぞれ独立したボタン穴から表面側に露出せしめてなる炊飯器の操作部において、上記スイッチボタンの裏面に各スイッチボタンの全範囲を覆う大きさの遮光シートを介在し、その遮光シートに上記スイッチボタンの透光部に対向した透光穴を設けたことを特徴とする炊飯器の操作部。
【請求項２】
上記遮光シートは、複数のスイッチボタンに対向した１枚のシートにより形成されるとともに、各スイッチボタンに対向した遮光部が各スイッチボタンの全範囲を覆う大きさに形成され、かつ上記遮光部相互間に切込みを設けたことを特徴とする請求項１に記載の炊飯器の操作部。
【請求項３】
上記複数のスイッチボタンのうち透光部を有するスイッチボタンに隣接して透光部の無いスイッチボタンを設け、その透光部の無いスイッチボタンに対応しても上記の遮光部を設けたことを特徴とする請求項２に記載の炊飯器の操作部。
【発明の詳細な説明】
【０００１】
【発明の属する技術分野】
この発明は、炊飯器（炊飯ジャーを含む。）の操作部の構造に関するものである。
【０００２】
【従来の技術】
図９に示すように、炊飯器本体７１の前面部に操作部７２が設けられ、その操作部７２に透明の合成樹脂からなる複数のスイッチボタン７３が設けられる。スイッチボタン７３は、その外周縁７４を残して裏面の凹部に不透明なシートのインサート成形により表示部７５が形成され、その表示部７５の表面には、「炊飯」「保温」「取消」等の表示が施される。スイッチボタン７３の裏面にはスイッチ操作用の突起７６が設けられ、その突起７６が透明な防水シート７７及びスイッチスペーサ７８を介して操作基板７９上のスイッチ８１に対向している。
【０００３】
操作基板７９には、ＬＥＤ等の発光体８２、その他の電子部品が搭載される。発光体８２はスイッチボタン７３の裏面を照らす。表示部７５には円形の透光部８３が設けられており、使用者はスイッチボタン７３の外部からその透光部８３を通過する光を見ることができる（図９矢印ａ参照）。
【０００４】
【解決しようとする課題】
しかしながら、上記の操作部の構造によると、発光体８２の光が透光部８３から見えるが、それ以外にスイッチボタン７３の外周縁７４から外部に漏れる無用な光も見えてしまう不都合がある（同図矢印ｂ参照）。
【０００５】
そこで、この発明は炊飯器の操作部において、ＬＥＤ等の発光体の光がスイッチボタンの外周縁から漏れ出ることを防止し、透光部からの光のみが見えるようにすることを課題とする。
【０００６】
【課題を解決するための手段】
上記の課題を解決するために、この発明は、炊飯器本体の内部にスイッチ、発光体その他の電子部品を搭載した操作基板を取付け、そのスイッチに又はスイッチと発光体の両方に対向した複数のスイッチボタンにそれぞれ透明の外周縁を残して不透明の表示部を設けるとともに、発光体に対向したスイッチボタンの上記表示部に透光部を設け、上記各スイッチボタンを上記炊飯器本体のそれぞれ独立したボタン穴から表面側に露出せしめてなる炊飯器の操作部において、上記スイッチボタンの裏面に各スイッチボタンの全範囲を覆う大きさの遮光シートを介在し、その遮光シートに上記スイッチボタンの透光部に対向した透光穴を設けた構成を採用した。
【０００７】
上記の構成によると、発光体の光は遮光シートに遮られてスイッチボタンの外周縁から漏れ出ることはなく、その遮光シートの透光穴を通過した光のみがスイッチボタンの透光部を通過して外部に出る、即ち外部から見えることになる。
【０００８】
上記遮光シートは、複数のスイッチボタンに対向した１枚のシートにより形成されるとともに、各スイッチボタンに対向した遮光部が各スイッチボタンの全範囲を覆う大きさに形成され、かつ上記遮光部相互間に切込みを設けた構成を採用することができる。
【０００９】
このような構成を採用すると、複数のスイッチボタンに対応して遮光シートは１枚ものであるので、その取扱いが便利であり、また、各遮光部相互間の切込みを利用して、スイッチボタンと組合わせることができる。
【００１０】
また、上記複数のスイッチボタンのうち透光部を有するスイッチボタンに隣接して透光部の無いスイッチボタンを設け、その透光部の無いスイッチボタンに対応しても上記の遮光部を設けた構成をとることができる。この場合は、透光部の無いスイッチボタンに対向する発光体は設けられないので、光の漏れは無いように見えるが、隣接するスイッチボタンに対応した発光体の光が当該透光部の無いスイッチボタンから漏れ出ることがあり得る。このような漏れを防止するために、透光部の無いスイッチボタンにもこれに対応した遮光部が設けられる。
【００１１】
【発明の実施形態】
以下、添付図面に基づいてこの発明の実施形態を説明する。図１に示した炊飯ジャーは、ジャー本体１と、これに対しヒンジにより開閉自在に取付けられた蓋２を有し、ジャー本体１は、図２に示すように、胴部材３と底部材４とにより構成される。胴部材３の前端部に蓋２の前縁と同じ高さに立ち上がった操作部５が設けられる。また、蓋２の上面に液晶表示部６及び各種炊飯条件設定キー７が設けられる。
【００１２】
上記の操作部５は、図２、図３に示すように、胴部材３に操作凹部１２を設け、その操作凹部１２の内部に前記のスイッチボタン８，９、１０を設けている。操作凹部１２の表面をカバーする操作パネル５ａの３ケ所のボタン穴からスイッチボタン８、９、１０が露出し、また、操作パネル５ａの上縁部中央に蓋開閉用のフック１１が設けられる。
【００１３】
スイッチボタン８、９、１０は、図５に示すように、ジャー本体１の前面から見て、中央部にスイッチボタン８、左側にスイッチボタン９、右側にスイッチボタン１０が配置される。いずれも左右方向に長い長円形のものであり、中央部のスイッチボタン８が最も長く、左右のスイッチボタン９、１０はほぼ同長である。
中央部のスイッチボタン８の左右両端部において、フック１１側に突き出した各一対のアーム１３、１３の先端間に左右方向（長円形の長軸方向）のヒンジ軸１４、１４が設けられる。また、左右のスイッチボタン９、１０は、その長軸が水平線に対して一定の角度θだけフック１１側に傾いている。また、平面視（図５（ｂ）参照）で、全体に胴部材３のわん曲面に従ってわん曲している。
【００１４】
左側のスイッチボタン９は、その短軸方向両側に突き出したヒンジ軸１５、１５が設けられ、そのうちのフック１１側のヒンジ軸１５と、前記中央部のスイッチボタン８の左側のヒンジ軸１４とが柔軟な線状の連結部１６で連結される。
【００１５】
右側のスイッチボタン１０は、フック１１側の側縁に設けられた一対のアーム１７の先端間にそのスイッチボタン１０の長軸方向のヒンジ軸１８が設けられる。このヒンジ軸１８と、中央部のスイッチボタン８の前記右側のヒンジ軸１４とが、前記と同様の柔軟な線状の連結部１９で連結される。
【００１６】
また、中央部のスイッチボタン８のフック１１と反対側の側縁の裏面に、左右に分かれてスイッチ操作用の突起２１、２１が設けられる。また、左側のスイッチボタン９においては、ヒンジ軸１５、１５の両側において、フック１１と反対側の側縁の裏面と、スイッチボタン８側の端部の裏面とに、それぞれスイッチ操作用の突起２２、２２’が設けられる。さらに、右側のスイッチボタン１０においては、フック１１と反対側の側縁中央部裏面にスイッチ操作用の突起２３が設けられる。
【００１７】
上記の各連結部１６、１９によりスイッチボタン８、９、１０が連結一体化され、これにより全体が透明樹脂で一体成形され一部品のボタン部材２４が構成される。その成形の際に、各スイッチボタン８、９、１０の裏面に、それぞれ不透明なシートをインサート成形することにより表示部２５（図６参照）が形成される。中央部のスイッチボタン８の表示部２５には、図６に示すように「炊飯」「再加熱」の文字が上下２段に表示され、また左側の表示部２５には、中央部の縦線で分けられた左半分に「保温」の文字、右半分に「おやすみ保温」の文字が表示される。また、右側のスイッチボタン１０の表示部２５には、「とりけし」の文字が表示される。これらの各表示部２５は各スイッチボタン８，９、１０の外周縁２６の側に形成されるため、表示部２５の部分は不透明であるが、各外周縁２６は透明のまま残される。
【００１８】
また、上記中央部のスイッチボタン８の表示部２５と、左側スイッチボタン９の表示部２５に、それぞれ円形の透光部３０ａ、３０ｂ、３０ｃが設けられる。左側のスイッチボタン９に設けられる透光部３０ｂ、３０ｃは、それぞれ、「保温」と「おやすみ保温」の表示に対応して設けられる。
【００１９】
上記の各スイッチボタン８、９、１０を連結一体化して構成されるボタン部材２４は、前記操作凹部１２の開口部分に嵌着される。操作凹部１２の開口部分の周縁には、図４に示すように、中央部のスイッチボタン８のヒンジ軸１４、１４を支持するヒンジ部２７、２７が同一線上に設けられる。また、左側のスイッチボタン９のヒンジ軸１５、１５を支持するヒンジ部２８、２８が対向位置に設けられる。さらに、右側のスイッチボタン１０のヒンジ軸１８を支持する左右一対のヒンジ部２９、２９が接近して設けられる。ボタン部材２４は、これらのヒンジ軸２７、２８、２９にそれぞれのヒンジ軸１４、１５、１８を係合することにより、各スイッチボタン８、９、１０が、それぞれ柔軟な連結部１６、１９の存在により相互の作動が影響し合うことなく、上下方向に揺動自在に支持される。
【００２０】
上記操作凹部１２の開口部分には、操作パネル５ａの係合部３１が数箇所に設けられる。また、操作凹部１２の内底面には、前記のスイッチ操作用の突起２１，２１、２２、２２’、２３に対向したスイッチ穴３２、３２、３３、３３’、３４が設けられる。これらのスイッチ穴３２、３２、３３、３３’、３４には、該操作凹部１２の下面にビス３５で固定されたスペーサ部材３６のスイッチスペーサ３７、３７、５７、５７’、５８（図４、図７参照）の上端が臨む。また、操作凹部１２の内底面に、中央部のスイッチボタン８と左側のスイッチボタン９にそれぞれ対向して、発光体穴３８、３９が設けられる。
【００２１】
また、上記の操作凹部１２の内部において、ボタン部材２４の裏面には遮光シート４１（図３参照）が装着される。遮光シート４１は不透明な樹脂シートにより構成され、前記の各スイッチボタン８、９、１０に対向して、図６（ｂ）に示すように、各スイッチボタン８，９、１０の全範囲を隠すに足りる大きさの中央部遮光部４２、左側遮光部４３及び右側遮光部４４が設けられる。これらの各遮光部４２〜４４の相互間に切込み４５、４６を設けている。
【００２２】
また、中央部遮光部４２と左側遮光部４３には、それぞれ前記のボタン部材２４の透光部３０ａ、３０ｂ、３０ｃに対向した透光穴４７ａ、４７ｂ、４７ｃが設けられる。さらに、中央部遮光部４２の前記切込み４５、４６の開放側の側縁部に、前記突起２１、２１、２２、２２’、２３に対向した半円形の小凹部４８，４８、４９、４９’、５１が設けられる。
【００２３】
上記の遮光シート４１は、図３に示すように、ボタン部材２４の裏面に重ねられ、切欠き部４５で左側のヒンジ軸１４とそれに連続した連結部１６を跨ぎ、また、切欠き部４６でヒンジ右側のヒンジ軸１４と連結部１９を跨ぐことにより、遮光部４２がスイッチボタン８の裏面に当てられ、また左右の遮光部４３、４４が左右のスイッチボタン９、１０の裏面に当てられる（図６（ｄ）参照）。
【００２４】
また、小凹部４８、４９、４９’、５１はそれぞれ突起２１、２２、２２’、２３に嵌合して、位置決めされる。各遮光部４２、４３、４４がそれぞれ中央部のスイッチボタン８、左側のスイッチボタン９、右側のスイッチボタン１０の裏面全体を覆い、各透光穴４７ａ〜４７ｃがそれぞれ透光部３０ａ〜３０ｃに合致する。さらに、右側遮光部４４の小凹部５１と反対側の側縁に設けられた突片５０がヒンジ軸１８のアーム１７間に挿通され、ヒンジ軸１８に係合される。
【００２５】
一方、前記の操作凹部１２の底面には、柔軟な防水シート５２が敷かれ、これにより前述のスイッチ穴３２、３３、３３’、３４及び発光体穴３８、３９が閉鎖される。スイッチ穴３２、３３、３３’、３４に対応した防水シート５２の部分は、膨出部５３、５３、５４、５４’、５５が設けられ（図３、図６（ｃ）参照）、その膨出部５３、５３、５４、５４’、５５の上面に前記の各突起２１、２１、２２、２２’２３の下端が接触する。また、膨出部５３、５３、５４、５４’、５５の下面にスペーサ部材３６（図７参照）のスイッチスペーサ３７，３７、５７、５７’、５８の上端が接する。
【００２６】
上記のスペーサ部材３６の内方には操作基板５６が取付けられ、その操作基板５６にタクトスイッチ等でなる所要数のスイッチ５９、及びＬＥＤ等でなる発光体６１が搭載される。各発光体６１はスペーサ部材３６の筒部６２に挿通され、その先端部が発光体穴３８に挿入される（図３参照）。
【００２７】
なお、中央部のスイッチボタン８の２ヵ所の突起２１、２１に対応した２個のスイッチ５９，５９は、図８に示すように、負荷に対して並列に接続される。
【００２８】
以上述べた実施形態において、使用者がスイッチボタン８、９、１０のいずれかを押すと、これらに対向して突起２１、２１、突起２２、２２’、突起２３のいずれかが、スイッチスペーサ３７、３７、５７、５７’、５８を介して操作基板状のスイッチ５９を作動させる。この場合、中央部のスイッチボタン８のように左右に比較的長い場合に、その左端又は右端に片寄った位置を押したとしても、いずれかの突起２１、２１に対応したスイッチ５９を作動させることができる。言い換えれば、２つの突起２１、２１を設けることにより、スイッチボタン８の作用が確実になり、またスイッチボタン８の大型化を図ることができる。
【００２９】
また、左側のスイッチボタン９は、「保温」を選択する場合は、左端に片寄った部分を押して突起２２に対応したスイッチ５９を作動させ、また、低電力で保温する「おやすみ保温」を選択する場合は、右端に片寄った部分を押して突起２２’に対応したスイッチ５９を作動させる。
【００３０】
スイッチボタン８又は９を押し込んで対応スイッチ５９が作動して、発光体６１が発光されると、その光は図３に矢印ａで示すように、防水シート５２、遮光シート４１の透光部４７ａ〜４７ｃ、表示部の透光部３０ａ〜３０ｃ及び各スイッチボタン８、９を経て外部に出る。それ以外の光は遮光シート４１に遮られて外部に漏れ出ることはない。従って、使用者は透光部３０ａ〜３０ｃから出る光のみを見ることができる。
【００３１】
また、いま中央部のスイッチボタン８の発光体６１が発光したとすると、これに隣接する右側のスイッチボタン１０の部分にも光が達することが有り得るが、その光は該スイッチボタン１０に対応して設けた遮光部４４により遮断され、外部に漏れることが防止される。
【００３２】
【発明の効果】
以上のように、この発明によれば、炊飯器の操作部に設けられたスイッチボタンの外周縁から光が漏れることが防止され、スイッチボタンに設けた透光部を通過する光のみが使用者の目に入ることになる。また、遮光シートは複数のスイッチボタンに対応してそれぞれ遮光部を有するので、１枚の遮光シートを組付けるだけで、全てのスイッチボタンについての遮光を図ることができ、組立の作業性がよい。
【００３３】
さらに、透光部の無いスイッチボタンについても遮光部を設けることにより、隣接するスイッチボタンに対向した発光体の光が漏れ出ることを防止することができる。
【図面の簡単な説明】
【図１】第１実施形態の斜視図
【図２】同上の断面図
【図３】同上の一部拡大断面図
【図４】同上操作部の平面図
【図５】（ａ）同上のボタン部材の平面図
（ｂ）（ａ）図の正面図
（ｃ）（ｂ）図の横断平面図
（ｄ）（ａ）図のｄ−ｄ線の断面図
（ｅ）（ａ）図のｅ−ｅ線の断面図
【図６】（ａ）表示部をインサート成形したボタン部材の平面図
（ｂ）遮光シートの平面図
（ｃ）防水シートの平面図
（ｄ）ボタン部材と遮光シートを組み合わせた状態の平面図
【図７】スペーサ部材の斜視図
【図８】スイッチボタンとスイッチの対応関係とスイッチの回路図
【図９】従来の操作部の一部拡大断面図
【符号の説明】
１　ジャー本体
２　蓋
３　胴部材
４　底部材
５　操作部
５ａ　操作パネル
６　液晶表示部
７　炊飯条件設定キー
８　スイッチボタン
９　スイッチボタン
１０　スイッチボタン
１１　フック
１２　操作凹部
１３　アーム
１４　ヒンジ軸
１５　ヒンジ軸
１６　連結部
１７　アーム
１８　ヒンジ軸
１９　連結部
２１　突起
２２　突起
２２’　突起
２３　突起
２４　ボタン部材
２５　表示部
２６　外周縁
２７　ヒンジ部
２８　ヒンジ部
２９　ヒンジ部
３０ａ　透光部
３０ｂ　透光部
３０ｃ　透光部
３１　係合部
３２　スイッチ穴
３３　スイッチ穴
３３’　スイッチ穴
３４　スイッチ穴
３５　ビス
３６　スペーサ部材
３７　スイッチスペーサ
３８　発光体穴
３９　発光体穴
４１　遮光シート
４２　中央部遮光部
４３　左側遮光部
４４　右側遮光部
４５　切込み
４６　切込み
４７ａ　透光部
４７ｂ　透光部
４７ｃ　透光部
４８　小凹部
４８’　小凹部
４９　小凹部
５０　突片
５１　小凹部
５２　防水シート
５３　膨出部
５４　膨出部
５４’　膨出部
５５　膨出部
５６　操作基板
５７　スイッチスペーサ
５７’　スイッチスペーサ
５８　スイッチスペーサ
５９　スイッチ
６１　発光体
６２　筒部
【図１】
2004033405.tif 000003
【図２】
2004033405.tif 000004
【図３】
2004033405.tif 000005
【図４】
2004033405.tif 000006
【図５】
2004033405.tif 000007
【図６】
2004033405.tif 000008
【図７】
2004033405.tif 000009
【図８】
2004033405.tif 000010
【図９】
2004033405.tif 000011